(57)【特許請求の範囲】
【請求項１】
移動相をカラムに供給するためのポンプ装置と、
フィルタと、
前記ポンプ装置および前記フィルタを収容するとともに、吸気口を有する収容容器と、
前記吸気口を通して前記収容容器内に導入された気体を前記フィルタに案内する案内部と、
前記ポンプ装置から発生する熱を前記収容容器の内部の気体とともに前記収容容器の外部に放出する排熱装置とを備え、
前記収容容器は、第１の方向を向く前面を有する前面部材を含み、
前記吸気口は、前記第１の方向に交差する第２の方向を向くように前記前面部材に設けられ、
前記収容容器は、
前面開口を有する筐体と、
前記前面開口の少なくとも一部の領域を閉塞および開放する扉とをさらに含み、
前記前面部材は、前記扉である、流体クロマトグラフ用の流体供給装置。
【請求項２】
前記扉は、前記前面、第１の側部および第２の側部を有し、
前記第１の側部は、前記筐体に回動可能に設けられ、
前記吸気口は、前記第２の側部に設けられた、請求項１記載の流体クロマトグラフ用の流体供給装置。
【請求項３】
前記フィルタを前記扉に着脱可能に保持する保持部材をさらに備える、請求項１または２記載の流体クロマトグラフ用の流体供給装置。
【請求項４】
前記保持部材は、スナップフィット機構を有し、当該スナップフィット機構により前記扉に対して着脱可能に構成された、請求項３記載の流体クロマトグラフ用の流体供給装置。
【請求項５】
前記保持部材は、前記案内部を含み、
前記案内部は、前記吸気口を通して前記第２の方向と逆方向に流入した気体を、当該保持部材により保持される前記フィルタに案内する、請求項３記載の流体クロマトグラフ用の流体供給装置。
【請求項６】
移動相をカラムに供給するためのポンプ装置と、
フィルタと、
前記ポンプ装置および前記フィルタを収容するとともに、吸気口を有する収容容器と、
前記吸気口を通して前記収容容器内に導入された気体を前記フィルタに案内する案内部と、
前記ポンプ装置から発生する熱を前記収容容器の内部の気体とともに前記収容容器の外部に放出する排熱装置とを備え、
前記収容容器は、第１の方向を向く前面を有する前面部材を含み、
前記吸気口は、前記第１の方向に交差する第２の方向を向くように前記前面部材に設けられ、
前記前面部材は前記前面と反対側の内面を有し、
前記フィルタは、通気面を有する板状材であり、前記通気面が前記前面部材の内面に対向するように配置された、流体クロマトグラフ用の流体供給装置。
【請求項７】
前記吸気口は、前記前面部材を前記第１の方向と逆方向に見た場合に視認されないように前記前面部材に設けられた、請求項１〜６のいずれか一項に記載の流体クロマトグラフ用の流体供給装置。
【発明の詳細な説明】
【技術分野】
【０００１】
本発明は、流体クロマトグラフ用の流体供給装置に関する。
【背景技術】
【０００２】
液体クロマトグラフおよび超臨界流体クロマトグラフ等の流体クロマトグラフにおいては、移動相をカラムに供給するための流体供給装置が用いられる。このような流体供給装置として、例えば特許文献１には、液体クロマトグラフに用いられる送液装置が記載されている。その送液装置は、筐体および２つのプランジャポンプを含む。２つのプランジャポンプは、筐体内に収容されている。
【特許文献１】国際公開２０１７／１２２２５９号
【発明の概要】
【発明が解決しようとする課題】
【０００３】
特許文献１の送液装置のように、一般に液体クロマトグラフの送液ポンプは、筐体内に収容されている。送液ポンプの作動により筐体内の温度が上昇すると、筐体内の温度の変化に起因して送液ポンプによる移動相の供給量に変動が生じる可能性がある。そこで、筐体内にファン等の排熱装置が設けられるとともに筐体に外気を取り込むための吸気口が設けられる。【０００４】
筐体の側面に吸気口が設けられると吸気口を塞がないように筐体の側方にスペースを確保する必要がある。そのため、筐体の側方への他の機器の設置が制限される。また、筐体の前方に送液ポンプのポンプヘッドが配される場合には、積極的にポンプヘッドを冷却するために、筐体の内部で前部から後部に向かう気体の流れを形成することが求められる。【０００５】
そこで、筐体の前部に吸気口を設けることが望ましい。しかしながら、筐体の前部に吸気口が設けられると、流体供給装置の前部のデザイン性が損なわれる。【０００６】
本発明の目的は、吸気口を前部に設けつつ前部のデザイン性を向上させることが可能な流体クロマトグラフ用の流体供給装置を提供することである。
【課題を解決するための手段】
【０００７】
（１）本発明の一局面に従う流体クロマトグラフ用の流体供給装置は、移動相をカラムに供給するためのポンプ装置と、フィルタと、ポンプ装置およびフィルタを収容するとともに、吸気口を有する収容容器と、吸気口を通して収容容器内に導入された気体をフィルタに案内する案内部と、ポンプ装置から発生する熱を収容容器の内部の気体とともに収容容器の外部に放出する排熱装置とを備え、収容容器は、第１の方向を向く前面を有する前面部材を含み、吸気口は、第１の方向に交差する第２の方向を向くように前面部材に設けられ、収容容器は、前面開口を有する筐体と、前面開口の少なくとも一部の領域を閉塞および開放する扉とをさらに含み、前面部材は、扉であってもよい。
【０００８】
その流体供給装置においては、ポンプ装置の作動により収容容器内で発生する熱が排熱装置により収容容器内の気体とともに収容容器の外部に放出される。このとき、吸気口を通して収容容器内に導入される気体がフィルタに案内されることにより、収容容器に収容されたポンプ装置に塵埃が付着することが防止される。【０００９】
上記の構成においては、吸気口が第１の方向に交差する第２の方向を向くので、流体供給装置を前面部材の前方の位置から見た場合に、吸気口が視認されにくい。したがって、吸気口を流体供給装置の前部に設けつつ流体供給装置の前部のデザイン性を向上させることが可能になる。より具体的には、流体供給装置の前部に設けられる扉のデザイン性を向上させることが可能になる。
【００１２】
（２）扉は、前面、第１の側部および第２の側部を有し、第１の側部は、筐体に回動可能に設けられ、吸気口は、第２の側部に設けられてもよい。
【００１３】
この場合、使用者は、吸気口に指を差し込むとともに第２の側部をつまむことにより、扉を開くことおよび扉を閉じることができる。それにより、使用者が扉を開閉するための取っ手等の把持部を、扉に設ける必要がない。したがって、扉のデザイン性の低下が抑制される。【００１４】
（３）流体クロマトグラフ用の流体供給装置は、フィルタを扉に着脱可能に保持する保持部材をさらに備えてもよい。
【００１５】
この場合、使用者は、扉を開くことによりフィルタの交換を容易に行うことができる。【００１６】
（４）保持部材は、スナップフィット機構を有し、当該スナップフィット機構により扉に対して着脱可能に構成されてもよい。
【００１７】
この場合、使用者は、扉に対する保持部材の取り付けおよび取り外しを容易に行うことができる。【００１８】
（５）保持部材は、案内部を含み、案内部は、吸気口を通して第２の方向と逆方向に流入した気体を、当該保持部材により保持されるフィルタに案内してもよい。
【００１９】
この場合、フィルタを保持する保持部材が気体をフィルタに案内する案内部を兼ねるので、部品点数が削減される。【００２０】
（６）本発明の他の局面に従う流体クロマトグラフ用の流体供給装置は、移動相をカラムに供給するためのポンプ装置と、フィルタと、ポンプ装置およびフィルタを収容するとともに、吸気口を有する収容容器と、吸気口を通して収容容器内に導入された気体をフィルタに案内する案内部と、ポンプ装置から発生する熱を収容容器の内部の気体とともに収容容器の外部に放出する排熱装置とを備え、収容容器は、第１の方向を向く前面を有する前面部材を含み、吸気口は、第１の方向に交差する第２の方向を向くように前面部材に設けられ、前面部材は前面と反対側の内面を有し、フィルタは、通気面を有する板状材であり、通気面が前面部材の内面に対向するように配置されてもよい。
【００２１】
この場合、フィルタの通気面が前面部材の内面に対向するので、フィルタの通気面の面積を小さくすることなく収容容器の前方にフィルタが露出することを防止することができる。したがって、フィルタにより流体供給装置の前部のデザイン性が低下することが抑制されるとともに、フィルタを通過する気体の流路の断面が大きく確保されることにより排熱効率の低下が抑制される。【００２２】
（７）吸気口は、前面部材を第１の方向と逆方向に見た場合に視認されないように前面部材に設けられてもよい。
【００２３】
この場合、流体供給装置の前部のデザイン性がさらに向上する。
【図面の簡単な説明】
【００２４】
【図１】図１は本発明の一実施の形態に係る送液装置の外観斜視図である。
【図２】図２は図１の排熱装置による熱の放出時における収容容器内の気体の流れを示す模式図である。
【図３】図３は図１の扉およびその周辺部材の構成を説明するための分解斜視図である。
【図４】図４は扉の背面図である。
【図５】図５は保持部材の正面図である。
【図６】図６は保持部材の背面図である。
【図７】図７は保持部材を図５の矢印Ａの方向に見た図である。
【図８】図８は図５のＢ−Ｂ線断面図である。
【図９】図９は保持部材を取り付けた扉の背面図である。
【図１０】図１０は図９のＣ−Ｃ線断面図である。
【図１１】図１１は図９のＤ−Ｄ線断面図である。
【図１２】図１２は図１の送液装置を備える液体クロマトグラフの一例を示す模式的構成図である。
【発明を実施するための形態】
【００２５】
［１］流体クロマトグラフ用の流体供給装置の基本構成
本発明の一実施の形態に係る流体クロマトグラフ用の流体供給装置の一例として、液体クロマトグラフの送液装置を説明する。図１は、本発明の一実施の形態に係る送液装置の外観斜視図である。
【００２６】
図１に示すように、本例の送液装置１０は、収容容器１００の内部に複数（本例では２つ）のポンプ装置ＰＰ、排熱装置ＥＸおよび図示しない電源回路等が収容された構成を有する。収容容器１００は、略直方体形状を有し、筐体１１０および両開き扉１２０を含む。筐体１１０は、上壁部１１０ａ、下壁部１１０ｂ、一方側壁部１１０ｃ、他方側壁部１１０ｄおよび端面壁部１１０ｅを含む。
【００２７】
上壁部１１０ａおよび下壁部１１０ｂは上下方向において互いに対向するように形成されている。一方側壁部１１０ｃおよび他方側壁部１１０ｄは、上壁部１１０ａおよび下壁部１１０ｂの一側部および他側部をそれぞれ接続するとともに互いに対向するように形成されている。端面壁部１１０ｅは、上壁部１１０ａ、下壁部１１０ｂ、一方側壁部１１０ｃおよび他方側壁部１１０ｄに直交するとともに、上壁部１１０ａ、下壁部１１０ｂ、一方側壁部１１０ｃおよび他方側壁部１１０ｄの端部を接続する。筐体１１０は、端面壁部１１０ｅに対向する部分に開口ＯＰを有する。
【００２８】
両開き扉１２０は、扉１２０Ａ，１２０Ｂを含む。扉１２０Ａは、筐体１１０の開口ＯＰのうち一方側壁部１１０ｃから開口ＯＰの略中央部までの領域を閉塞および開放する。扉１２０Ａは、上下方向に延びる回動軸線ＬＡの周りで回動可能に一方側壁部１１０ｃに設けられる。
【００２９】
扉１２０Ｂは、筐体１１０の開口ＯＰのうち他方側壁部１１０ｄから開口ＯＰの略中央部までの領域を閉塞および開放する。扉１２０Ｂは、上下方向に延びる回動軸線ＬＢの周りで回動可能に他方側壁部１１０ｄに設けられる。
【００３０】
以下の説明では、図１の送液装置１０のうち両開き扉１２０およびその周辺部分を送液装置１０の前部とし、送液装置１０のうち端面壁部１１０ｅおよびその周辺部分を送液装置１０の後部とする。また、収容容器１００の内部から送液装置１０の前部を向く方向を送液装置１０の前方とし、収容容器１００の内部から送液装置１０の後部を向く方向を送液装置１０の後方とする。扉１２０Ａは本発明に係る前面部材に相当する。また、送液装置１０の前方を向く扉１２０Ａの外面は本発明に係る収容容器の前面に相当する。
【００３１】
２つのポンプ装置ＰＰの各々は、１つのポンプボディＰＢに、図示しない１つのポンプ用モータと２つのポンプヘッドＰＨとが組付けられた構成を有する。各ポンプ装置ＰＰにおいて、２つのポンプヘッドＰＨ内には図示しない２つのプランジャがそれぞれ設けられている。ポンプ用モータは、図示しない電源回路から電力を受けることにより２つのポンプヘッドＰＨ内の２つのプランジャを駆動する（ダブルプランジャ方式）。それにより各プランジャがポンプヘッドＰＨ内を往復動する。
【００３２】
ポンプ装置ＰＰは、収容容器１００の内部で２つのポンプヘッドＰＨが送液装置１０の前部に位置し、ポンプボディＰＢが２つのポンプヘッドＰＨよりも送液装置１０の後部に位置するように配置される。それにより、両開き扉１２０の閉塞時に、各ポンプヘッドＰＨは両開き扉１２０の内面に近接する。
【００３３】
排熱装置ＥＸは、排熱ファンおよび排熱ファンを駆動するファン用モータを含み、収容容器１００内で発生する熱を収容容器１００の内部の気体とともに収容容器１００の外部に放出する。収容容器１００内で発生する熱には、ポンプ装置ＰＰの作動時にポンプ用モータおよび電源回路から発生する熱が含まれる。
【００３４】
収容容器１００には、排熱装置ＥＸによる熱の放出時に収容容器１００の外部の気体を収容容器１００の内部に取り込むための吸気口が設けられている。また、収容容器１００には、排熱装置ＥＸによる熱の放出時に収容容器１００の内部の気体を収容容器１００の外部に排出するための排気口が設けられている。
【００３５】
図２は、図１の排熱装置ＥＸによる熱の放出時における収容容器１００内の気体の流れを示す模式図である。図２に示すように、本実施の形態に係る送液装置１０においては、扉１２０Ａに、送液装置１０の側方を向く吸気口ＩＮが設けられている。扉１２０Ａの内側には、フィルタＦＩが設けられている。また、端面壁部１１０ｅに排気口ＯＵＴが設けられている。本例のフィルタＦＩは、矩形の板状部材であり、その一面および他面が通気面として機能する。
【００３６】
図１の排熱装置ＥＸによる熱の放出時には、図２に太い実線および太い点線の白抜き矢印で示すように、収容容器１００の内部で前方から後方に向かって円滑に気体が流れる。このとき、収容容器１００の外部から吸気口ＩＮに進入する気体は、フィルタＦＩを通過することにより清浄化される。それにより、収容容器１００の外部の塵埃が収容容器１００内のポンプ装置ＰＰに付着することが防止される。
【００３７】
［２］扉１２０Ａおよびその周辺部材の構成の詳細
図１の扉１２０Ａは、扉取付具により筐体１１０の一方側壁部１１０ｃに設けられる。扉１２０Ａの構成を扉取付具とともに説明する。図３は、図１の扉１２０Ａおよびその周辺部材の構成を説明するための分解斜視図である。図３に示すように、筐体１１０の一方側壁部１１０ｃの前端部には、一方側壁部１１０ｃを前方に向かって延長するように、略長板形状を有する扉取付具９０が固定されている。扉取付具９０の上端部近傍および下端部近傍には、それぞれヒンジ取付部９３が設けられている。各ヒンジ取付部９３は、扉取付具９０から開口ＯＰの前方の空間に延びるように形成されている。
【００３８】
扉１２０Ａは、フレーム部材２００およびカバー部材３００を含む。フレーム部材２００は、例えばアルミニウム合金等の金属で形成された単一部材であり、上フレーム部２２０、下フレーム部２３０およびフレーム連結部２４０から構成される。上フレーム部２２０および下フレーム部２３０は、それぞれ略角柱形状を有し、互いに平行でかつ互いに対向するように配置される。フレーム連結部２４０は、略長板形状を有し、上フレーム部２２０の一端部と下フレーム部２３０の一端部とを連結する。
【００３９】
上フレーム部２２０の他端部が上方のヒンジ取付部９３にヒンジＨＩを介して接続され、下フレーム部２３０の他端部が下方のヒンジ取付部９３にヒンジＨＩを介して接続される。このとき、各ヒンジＨＩは、その軸心が回動軸線ＬＡ上に位置する。それにより、フレーム部材２００は、上下のヒンジＨＩにより回動軸線ＬＡの周りで回動可能に扉取付具９０に取り付けられる。
【００４０】
カバー部材３００は、例えば樹脂で形成された単一部材であり、蓋部３１０、上壁部３２０および下壁部３３０を含む。カバー部材３００は、図３に太い一点鎖線の白抜き矢印で示すように、フレーム部材２００に取り付けられる。
【００４１】
フレーム部材２００には、図３に太い点線の白抜き矢印で示すように、カバー部材３００に加えて保持部材４００が取り付けられる。保持部材４００は、図２のフィルタＦＩをフレーム部材２００に着脱可能に保持する。保持部材４００の詳細は後述する。
【００４２】
以下の説明では、扉１２０Ａの両側部のうち回動軸線ＬＡに近接する部分を扉１２０Ａの一側部と呼び、一側部とは反対側の側部を扉１２０Ａの他側部と呼ぶ。また、扉１２０Ａの閉塞時に筐体１１０の内方（送液装置１０の後方）を向く面を扉１２０Ａの内面と呼ぶ。さらに、扉１２０Ａの内面が向く方向を扉１２０Ａの後方と呼び、その逆方向を扉１２０Ａの前方と呼ぶ。
【００４３】
図４は、扉１２０Ａの背面図である。図４では、フレーム部材２００およびカバー部材３００の形状の理解を容易にするために、フレーム部材２００を太い実線で表し、カバー部材３００を細い実線で表す。
【００４４】
図３および図４に示すように、蓋部３１０は、略矩形の板形状を有し、扉１２０Ａの一側部から他側部にかけて水平方向に緩やかに湾曲するように形成されている。上壁部３２０は蓋部３１０の上縁から後方に延びる板形状を有し、下壁部３３０は蓋部３１０の下縁から後方に延びる板形状を有する。
【００４５】
上壁部３２０は上フレーム部２２０を上方から覆い、下壁部３３０は下フレーム部２３０を下方から覆う。蓋部３１０は、扉１２０Ａの閉塞時に、フレーム部材２００および扉取付具９０を開口ＯＰの一部とともに送液装置１０の前方から覆う。
【００４６】
扉１２０Ａの他側部に位置するカバー部材３００の部分には、上壁部３２０と下壁部３３０とを繋ぐように略長板形状を有するカバー連結部３４０が形成されている。カバー連結部３４０は、蓋部３１０の内面に一定の距離をおいて対向し、水平方向においてフレーム連結部２４０に隣り合う。蓋部３１０、上壁部３２０、下壁部３３０およびカバー連結部３４０により、図２の吸気口ＩＮが形成される。
【００４７】
フレーム部材２００の上フレーム部２２０、下フレーム部２３０およびフレーム連結部２４０には、それぞれ扉１２０Ａに図２のフィルタＦＩを設けるための突条部２２１，２３１，２４１が形成されている。
【００４８】
具体的には、上フレーム部２２０の突条部２２１は、上フレーム部２２０の下面から所定高さ突出しかつフレーム連結部２４０の上端部から上フレーム部２２０の略中央部まで延びている。突条部２２１の一部は蛇行している。突条部２２１の蛇行部分は、保持部材４００（図３）の後述するスナップフィット機構４３０（図５）に対応する被係止部２２２として機能する。
【００４９】
また、下フレーム部２３０の突条部２３１は、下フレーム部２３０の上面から所定高さ突出しかつフレーム連結部２４０の下端部から下フレーム部２３０の略中央部まで延びている。突条部２３１の一部は蛇行している。突条部２３１の蛇行部分は、保持部材４００（図３）の後述する係止部４９０（図５）に対応する被係止部２３２として機能する。
【００５０】
さらに、フレーム連結部２４０の突条部２４１は、扉１２０Ａの一側部に向く側面から所定高さ突出しかつフレーム連結部２４０の上端部から下端部まで直線状に延びている。
【００５１】
次に、保持部材４００について説明する。図５は保持部材４００の正面図であり、図６は保持部材４００の背面図であり、図７は保持部材４００を図５の矢印Ａの方向に見た図であり、図８は図５のＢ−Ｂ線断面図である。なお、図５〜図８に示される保持部材４００の縮尺は、図４および後述する図９〜図１１の縮尺とは異なる。
【００５２】
保持部材４００は、例えば樹脂で形成された単一部材であり、図５に示すように、上下方向に延びる略矩形の板状本体部４１０を有する。板状本体部４１０においては、その外縁から一定幅の部分を除く中央領域に多数の貫通孔４１１が形成されている。
【００５３】
図７に示すように、板状本体部４１０の一側部から前方に延びるように案内部４２０が形成されている。案内部４２０は、長板形状を有し、図８に示すように、板状本体部４１０の上端部から下端部にかけて延びている。
【００５４】
案内部４２０には、間隔をおいて上下方向に並ぶように、２つの保持片４５３が設けられている。各保持片４５３は、板状本体部４１０から所定距離離間した位置で、図７に示すように、案内部４２０から板状本体部４１０の他側部に向く方向に突出している。
【００５５】
図５に示すように、板状本体部４１０の他側部近傍には、間隔をおいて上下方向に並ぶように、２つの保持片４５２が設けられている。各保持片４５２は、Ｌ字形状の断面を有し、図７に示すように、板状本体部４１０から前方に向かって所定距離突出し、さらに案内部４２０に向く方向に屈曲している。
【００５６】
図５に示すように、板状本体部４１０の上端部近傍には、間隔をおいて水平方向に並ぶように、２つの保持片４５１が設けられている。各保持片４５１は、板状本体部４１０から前方に所定距離突出している。
【００５７】
ここで、上記の所定距離は、例えばフィルタＦＩの厚みに等しいかまたはフィルタＦＩの厚みよりもやや大きい。それにより、保持部材４００においては、複数の保持片４５１，４５２，４５３により、板状本体部４１０の一面上に図２のフィルタＦＩを保持することが可能となっている。
【００５８】
板状本体部４１０の上端部中央には、スナップフィット機構４３０が設けられている。本実施の形態においては、スナップフィットとは、係止部および被係止部をそれぞれ有する２つの部材の連結方法であり、被係止部および係止部のうち少なくとも一方の部材の弾性変形を利用して２つの部材を固定する方法である。スナップフィット機構４３０は、図８に示すように、板状本体部４１０の上端部から前方に向かって延び、斜め上後方に向かって湾曲し、さらに板状本体部４１０よりも後方の位置まで水平に延びるように形成されている。
【００５９】
本例のスナップフィット機構４３０は、把持部４３１、テーパー部４３２および係止部４３３を有する。把持部４３１は、スナップフィット機構４３０の後端部分であり、板状本体部４１０よりも後方の位置で水平に延びる。テーパー部４３２は、スナップフィット機構４３０の先端部およびその近傍部分であり、板状本体部４１０の上方で前方かつ下方に向かって延びる外面を有する。係止部４３３は、スナップフィット機構４３０の上端部およびその近傍部分であり、把持部４３１とテーパー部４３２との間に位置し、後方を向く外面を有する。
【００６０】
板状本体部４１０の下端部中央には、係止部４９０が設けられている。係止部４９０は、板状本体部４１０の一面から下方に向かって突出する。
【００６１】
保持部材４００をフレーム部材２００に取り付ける際には、使用者は、図４の扉１２０Ａの後方から保持部材４００の係止部４９０をフレーム部材２００の被係止部２３２の前方に配置する。さらに、使用者は、把持部４３１を把持しつつスナップフィット機構４３０を扉１２０Ａの後方からフレーム部材２００の被係止部２２２に押し込む。
【００６２】
この場合、スナップフィット機構４３０のテーパー部４３２がフレーム部材２００の被係止部２２２上をスライドすることにより、スナップフィット機構４３０が弾性変形し、テーパー部４３２が被係止部２２２の前方まで移動する。このとき、前方を向く板状本体部４１０の一面のうち一部分がフレーム部材２００の突条部２２１，２３１，２４１に当接する。この状態で、フレーム部材２００の被係止部２２２がスナップフィット機構４３０の係止部４３３により係止される。また、フレーム部材２００の被係止部２３２が保持部材４００の係止部４９０により係止される。それにより、保持部材４００がフレーム部材２００に取り付けられ、固定される。
【００６３】
図９はフレーム部材２００に保持部材４００が取り付けられた扉１２０Ａをその後方から見た図であり、図１０は図９のＣ−Ｃ線断面図であり、図１１は図９のＤ−Ｄ線断面図である。
【００６４】
図９に示すように、保持部材４００がフレーム部材２００に取り付けられた状態で、保持部材４００の板状本体部４１０は、水平方向においてフレーム部材２００のフレーム連結部２４０に隣り合う。
【００６５】
この場合、図１０に示すように、カバー部材３００のカバー連結部３４０、フレーム部材２００のフレーム連結部２４０および保持部材４００の板状本体部４１０とカバー部材３００の蓋部３１０との間に気体通路ＧＰが形成される。このとき、保持部材４００の案内部４２０は、図１０および図１１に示すように、板状本体部４１０の一側部から蓋部３１０の内面まで延びている。
【００６６】
それにより、案内部４２０は、図１０に太い点線の白抜き矢印で示すように、吸気口ＩＮから気体通路ＧＰに流入する収容容器１００の外部の気体を当該保持部材４００により保持されるフィルタＦＩに案内する。このように、本実施の形態に係る保持部材４００は案内部４２０を有するので、送液装置１０においては、収容容器１００の外部の気体をフィルタＦＩに案内するための部材を、フィルタＦＩを保持する部材とは別に設ける必要がない。したがって、扉１２０Ａの部品点数が削減されている。
【００６７】
フィルタＦＩを保持する保持部材４００をフレーム部材２００から取り外す際には、使用者は、図４の扉１２０Ａの後方から保持部材４００の把持部４３１を下方に押し下げつつ扉１２０Ａの後方に引き抜く。それにより、スナップフィット機構４３０とフレーム部材２００の被係止部２３２との係合状態が解除され、保持部材４００がフレーム部材２００の後方に取り外される。
【００６８】
上記のように、保持部材４００は、スナップフィット機構４３０により扉１２０Ａに対して着脱可能に構成されている。それにより、使用者は、扉１２０Ａを開くことにより、扉１２０Ａに対する保持部材４００の取り付けおよび取り外しを、工具等を用いることなく容易に行うことができる。したがって、フィルタＦＩの交換が容易になる。
【００６９】
［３］効果
（ａ）上記の送液装置１０においては、ポンプ装置ＰＰの作動により収容容器１００内で発生する熱が排熱装置ＥＸにより収容容器１００内の気体とともに収容容器１００の外部に放出される。このとき、吸気口ＩＮを通して収容容器１００内に導入される気体がフィルタＦＩに案内されることにより、収容容器１００に収容されたポンプ装置ＰＰに塵埃が付着することが防止される。
【００７０】
送液装置１０の前部においては、扉１２０Ａに設けられた吸気口ＩＮが送液装置１０の側方を向く。すなわち、吸気口ＩＮは、送液装置１０の前方に向く方向に対して交差する方向に向くように形成されている。それにより、送液装置１０をその前方の位置から見た場合に、吸気口ＩＮが視認されにくい。したがって、吸気口ＩＮを送液装置１０の前部に設けつつ送液装置１０の前部に設けられる扉１２０Ａのデザイン性を向上させることが可能になる。
【００７１】
（ｂ）扉１２０Ａにおいては、吸気口ＩＮは、筐体１１０の一方側壁部１１０ｃに回動可能に取り付けられる一側部とは反対側の他側部に設けられている。この場合、使用者は、吸気口ＩＮに指を差し込むとともに扉１２０Ａの他側部をつまむことにより、扉１２０Ａを開くことおよび扉１２０Ａを閉じることができる。それにより、使用者が扉１２０Ａを開閉するための取っ手等の把持部を、扉１２０Ａに設ける必要がない。したがって、扉１２０Ａのデザイン性の低下が抑制される。
【００７２】
（ｃ）フィルタＦＩは、保持部材４００により扉１２０Ａに取り付けられた状態で、その通気面が扉１２０Ａの内面に対向するように配置される。この場合、フィルタＦＩの通気面の面積を小さくすることなく収容容器１００の前方にフィルタＦＩが露出することを防止することができる。したがって、フィルタＦＩにより送液装置１０の前部のデザイン性が低下することが抑制されるとともに、フィルタＦＩを通過する気体の流路の断面が大きく確保されることにより排熱効率の低下が抑制される。
【００７３】
［４］液体クロマトグラフ
図１２は、図１の送液装置１０を備える液体クロマトグラフの一例を示す模式的構成図である。本例の液体クロマトグラフ１は、図１の送液装置１０に加えて、制御装置２、オートサンプラ３、カラムオーブン４および検出器５を含む。
【００７４】
送液装置１０は、移動相容器Ｔ１に貯留された移動相をカラムオーブン４内に設けられるカラムに供給する。オートサンプラ３は、送液装置１０からカラムに供給される移動相中に液体試料を注入する。カラムオーブン４は、その内部に設けられるカラムを略一定の温度に保持する。検出器５は、カラムにより分離された液体試料の各成分を検出する。検出器５を通過した移動相は、廃液容器Ｔ２に送られる。制御装置２は、例えばＣＰＵおよびメモリを含み、液体クロマトグラフ１を構成する各部の動作を制御する。
【００７５】
本例の液体クロマトグラフ１は、図１の送液装置１０を有するので、移動相が高い精度でカラムに供給される。また、液体クロマトグラフ１の前部のデザイン性が送液装置１０の前部のデザイン性により低下することが防止される。
【００７６】
［５］他の実施形態
（ａ）上記実施の形態においては、本発明に係る流体クロマトグラフ用の流体供給装置の一例である送液装置１０が液体クロマトグラフに用いられるが、本発明はこれに限定されない。上記の送液装置１０に設けられる扉１２０Ａおよび保持部材４００の構成は、液体クロマトグラフの送液装置１０に限らず、超臨界流体クロマトグラフの流体供給装置に用いることもできる。この場合においても、上記実施の形態の例と同様の効果を得ることができる。
【００７７】
（ｂ）上記実施の形態に係る送液装置１０においては、収容容器１００の前部に両開き扉１２０が設けられるが、本発明はこれに限定されない。収容容器１００の前部には、両開き扉１２０に代えて、送液装置１０の前方を向く前面を有する壁が形成されてもよい。この場合、当該壁に側方を向く吸気口ＩＮが形成されることにより、吸気口ＩＮを送液装置１０の前部に設けつつ送液装置１０の前部のデザイン性を向上させることが可能になる。
【００７８】
（ｃ）上記実施の形態においては、両開き扉１２０の閉塞時に、吸気口ＩＮは収容容器１００の内部から送液装置１０の前方を向く方向に対して直交する方向に向くように開口している。より具体的には、吸気口ＩＮは、送液装置１０の側方に向くように開口している。しかしながら、吸気口ＩＮが開口する向きは、上記の例に限定されない。
【００７９】
扉１２０Ａにおいては、吸気口ＩＮは、収容容器１００の内部から送液装置１０の前方を向く方向に対して交差する方向に向くように開口していればよい。したがって、吸気口ＩＮは、送液装置１０の上方を向いて開口するように形成されてもよいし、送液装置１０の下方を向いて開口するように形成されてもよい。この場合、吸気口ＩＮは、両開き扉１２０を送液装置１０の前方から見た場合に、視認されないように設けられることが好ましい。
【００８０】
なお、吸気口ＩＮは、送液装置１０の斜め前方を向いて開口するように形成されてもよい。この場合においても、吸気口ＩＮが送液装置１０の前方を向いて開口する場合に比べて、送液装置１０の前部のデザイン性を向上させることができる。
【００８１】
（ｄ）上記実施の形態においては、フィルタＦＩが板状部材で構成されるが、本発明はこれに限定されない。フィルタＦＩは、板形状以外の形状を有してもよい。例えば、フィルタＦＩは、円柱形状を有してもよいし、立方体形状を有してもよい。
【００８２】
（ｅ）上記実施の形態において、保持部材４００は、スナップフィット機構４３０によりフレーム部材２００に着脱可能に設けられるが、本発明はこれに限定されない。保持部材４００は、ねじを用いてフレーム部材２００またはカバー部材３００のうち少なくとも一方に着脱可能に構成されてもよい。
【００８３】
（ｆ）フィルタＦＩは、ねじを用いて扉１２０Ａに直接取り付けられてもよい。この場合、保持部材４００が不要となる。
【００８４】
（ｇ）収容容器１００は、両開き扉１２０に代えて片開き扉を含んでもよい。この場合、片開き扉が、上記の扉１２０Ａと同様の構成を有することにより、上記実施の形態の例と同様の効果を得ることができる。
【００８５】
（ｈ）扉１２０Ａは、水平方向に平行な回動軸線ＬＡの周りで回動するように、上壁部１１０ａまたは下壁部１１０ｂに設けられてもよい。
【００８６】
（ｉ）上記の両開き扉１２０のうち、扉１２０Ｂは、扉１２０Ａと同様の構成を有してもよい。また、扉１２０Ｂには、保持部材４００によりフィルタＦＩが保持されてもよい。この場合、収容容器１００の外部から内部への気体の流路をより大きく確保することができる。それにより、排熱効率が向上する。
【００８７】
（ｊ）上記実施の形態に係る送液装置１０は、収容容器１００内に２つのポンプ装置ＰＰが収容された構成を有するが、送液装置１０の構成は上記の例に限定されない。例えば、送液装置１０は、収容容器１００内に１つのポンプ装置ＰＰのみが収容された構成を有してもよい。この場合、収容容器１００内に１つのポンプ装置ＰＰのみが収容された送液装置１０が、図１２の液体クロマトグラフ１に用いられてもよい。あるいは、収容容器１００内に上記のポンプ装置ＰＰとは異なる構成を有する液供給装置が収容された送液装置が、図１２の液体クロマトグラフ１に用いられてもよい。この場合、液供給装置は、例えばギアポンプ、ベーンポンプまたはダイヤフラムポンプ等のプランジャポンプとは異なる形式のポンプを含んでもよい。
【００８８】
［６］請求項の各構成要素と実施の形態の各部との対応関係
以下、請求項の各構成要素と実施の形態の各部との対応の例について説明するが、本発明は下記の例に限定されない。
【００８９】
上記実施の形態においては、収容容器１００の内部から送液装置１０の前方を向く方向が第１の方向の例であり、送液装置１０の一側方を向く方向が第２の方向の例であり、扉１２０Ａのうち筐体１１０に回動可能に取り付けられる一側部が扉の第１の側部の例であり、扉１２０Ａのうち吸気口ＩＮが設けられる他側部が扉の第２の側部の例である。
【００９０】
請求項の各構成要素として、請求項に記載されている構成または機能を有する他の種々の要素を用いることもできる。
【図１】
0006954463.tif 000002
【図２】
0006954463.tif 000003
【図３】
0006954463.tif 000004
【図４】
0006954463.tif 000005
【図５】
0006954463.tif 000006
【図６】
0006954463.tif 000007
【図７】
0006954463.tif 000008
【図８】
0006954463.tif 000009
【図９】
0006954463.tif 000010
【図１０】
0006954463.tif 000011
【図１１】
0006954463.tif 000012
【図１２】
0006954463.tif 000013